(57)【要約】自動販売機による商品の販売を遠隔管理することを可能にする。サーバ装置４０と、自動販売機３０とＢｌｕｅｔｏｏｔｈによる通信を行うとともに、無線通信網２０を介してサーバ装置４０と通信する無線通信端末１０と、を含む無線通信システム１を提供する。自動販売機３０には、当該自動販売機３０を一意に示す識別子が予め付与されているとともに、自動販売機３０では、商品の販売禁止を解除するセキュリティコードを受信するまで商品の販売が禁止されている。サーバ装置４０は、上記識別子の受信を契機としてセキュリティコードを発行して識別子の送信元へ返信する。無線通信端末１０は、識別子の入力を契機としてサーバ装置４０へ当該識別子を送信し、サーバ装置４０から返信されてくるセキュリティコードを自動販売機３０へ送信する。
2020100207.tif 000002
【特許請求の範囲】
【請求項１】
サーバ装置と、
第１の無線通信規格にしたがって他の装置と近距離無線通信する自動販売機と前記第１の無線通信規格に従って通信するとともに、第１の無線通信規格とは異なる第２の無線通信規格にしたがって前記サーバ装置と通信する無線通信端末と、
を含み、
前記自動販売機には、前記自動販売機を一意に示す識別子が予め付与されているとともに、前記自動販売機では、商品の販売禁止を解除するセキュリティコードを受信するまで商品の販売が禁止されており、
前記サーバ装置は、
前記識別子の受信を契機として前記セキュリティコードを発行して前記識別子の送信元へ返信し、
前記無線通信端末は、
前記識別子の入力を契機として前記サーバ装置へ宛てて入力された識別子を送信し、前記サーバ装置から返信されてくるセキュリティコードを前記自動販売機へ送信する
ことを特徴とする無線通信システム。
【請求項２】
前記第１の無線通信規格は、Ｂｌｕｅｔｏｏｔｈ（登録商標）またはＩｒＤＡであることを特徴とする請求項１に記載の無線通信システム。
【請求項３】
前記自動販売機には、前記識別子の印刷された印刷物が貼り付けられており、
前記無線通信端末は、
撮像部を備え、前記撮像部により撮像された画像から読み取った識別子を前記サーバ装置へ送信する
ことを特徴とする請求項１または請求項２に記載の無線通信システム。
【請求項４】
前記印刷物には、前記識別子に対応するマトリクス型二次元コードが印刷されており、前記無線通信端末は、前記マトリクス型二次元コードを解析して前記識別子を読み取ることを特徴とする請求項３に記載の無線通信システム。
【請求項５】
制御部と、
第１の無線通信規格にしたがって近距離無線通信を行う第１無線通信部と、
前記第１の無線通信規格とは異なる第２の無線通信規格にしたがった通信を行う第２無線通信部と、
を備え、
前記制御部は、
前記第１の無線通信規格にしたがって他の装置と近距離無線通信を行う自動販売機であって、商品の販売禁止を解除するセキュリティコードを受信するまで商品の販売が禁止されている自動販売機、を一意に識別するために当該自動販売機に付与されている識別子の入力を契機として、前記第２の無線通信規格にしたがった通信により前記識別子を受信したことを契機として前記セキュリティコードを発行し前記識別子の送信元へ返信するサーバ装置へ宛てて、入力された識別子を前記第２無線通信部により送信し、
前記サーバ装置から返信されてくるセキュリティコードを前記第２無線通信部により受信し、受信したセキュリティコードを前記第１無線通信部により前記自動販売機へ送信する
ことを特徴とする無線通信端末。
【請求項６】
コンピュータに、
第１の無線通信規格にしたがって他の装置と近距離無線通信を行う自動販売機であって、商品の販売禁止を解除するセキュリティコードを受信するまで商品の販売が禁止されている自動販売機を一意に識別するために当該自動販売機に付与されている識別子の入力を契機として、前記第１の無線通信規格とは異なる第２の無線通信規格にしたがった通信により前記識別子を受信したことを契機として前記セキュリティコードを発行し前記識別子の送信元へ返信するサーバ装置へ宛てて、入力された識別子を前記第２の無線通信規格にしたがって送信する第１のステップと、
前記サーバ装置から返信されてくるセキュリティコードを受信し、受信したセキュリティコードを第１の無線通信規格にしたがって前記自動販売機へ送信する第２のステップと、
を実行させることを特徴とするプログラム。
【発明の詳細な説明】
【技術分野】
【０００１】
本発明は、無線通信システム、無線通信端末、およびプログラムに関する。
【背景技術】
【０００２】
インターネットなどの電気通信回線を利用したゲームの中には、特別なゲーム内アイテムやゲームキャラクタなどを得るための仕組みとして「ガチャ」と呼ばれる仕組みが採用されているものがある。「ガチャ」とは、硬貨を入れてハンドルひねると、玩具の入ったカプセルが出てくる自動販売機（所謂「ガチャガチャ」或いは「ガチャポン」：特許文献１参照）を模した仮想自動販売機である。
【先行技術文献】
【特許文献】
【０００３】
【特許文献１】特開平０７−１４８３５８号公報
【発明の概要】
【発明が解決しようとする課題】
【０００４】
ガチャを利用したゲームでは、有料または無料で配布される仮想コインをガチャに投入することでアイテム等が得られる。この種のゲームにおいて有料のコインを購入することは課金と呼ばれる。有料のコインを必要とするガチャでは、一回数百円の課金で通常では得られない(或いは得難い)強力なアイテムや希少なキャラクタを入手することができる場合がある。このため、所望のアイテム等が得られるまで多額の課金を行い、その支払いに難儀するユーザもいる。これは、仮想自動販売機による商品販売に限らず、「ガチャガチャ」等を含む自動販売機による商品販売に共通の問題である。商品の売り手が買い手に直接応対する対面販売とは異なり、自動販売機による商品販売では売り手側が買い手に注意を促すことはできないからである。以下、本明細書では、「ガチャガチャ」などの実体のある自動販売機と仮想自動販売機の両方を含めて「自動販売機」と呼ぶ。【０００５】
本発明は上述した事情に鑑みてなされたものであり、自動販売機による商品の販売を遠隔管理できるようにする技術を提供することを目的とする。
【課題を解決するための手段】
【０００６】
上記課題を解決するあめに本発明は、サーバ装置と、第１の無線通信規格にしたがって他の装置と近距離無線通信する自動販売機と前記第１の無線通信規格に従って通信するとともに、第１の無線通信規格とは異なる第２の無線通信規格にしたがって前記サーバ装置と通信する無線通信端末と、を含み、前記自動販売機には、前記自動販売機を一意に示す識別子が予め付与されているとともに、前記自動販売機では、商品の販売禁止を解除するセキュリティコードを受信するまで商品の販売が禁止されており、前記サーバ装置は、前記識別子の受信を契機として前記セキュリティコードを発行して前記識別子の送信元へ返信し、前記無線通信端末は、前記識別子の入力を契機として前記サーバ装置へ宛てて入力された識別子を送信し、前記サーバ装置から返信されてくるセキュリティコードを前記自動販売機へ送信することを特徴とする無線通信システム、を提供する。【０００７】
より好ましい態様の無線通信システムでは、前記第１の無線通信規格は、Ｂｌｕｅｔｏｏｔｈ（登録商標）またはＩｒＤＡであることを特徴とする。【０００８】
また、別の好ましい態様の無線通信システムでは、前記自動販売機には、前記識別子の印刷された印刷物が貼り付けられており、前記無線通信端末は、撮像部を備え、前記撮像部により撮像された画像から読み取った識別子を前記サーバ装置へ送信することを特徴とする。【０００９】
また、別の好ましい態様の無線通信システムでは、前記印刷物には、前記識別子に対応するマトリクス型二次元コードが印刷されており、前記無線通信端末は、前記マトリクス型二次元コードを解析して前記識別子を読み取ることを特徴とする。【００１０】
また、上記課題を解決するために本発明は、制御部と、第１の無線通信規格にしたがって近距離無線通信を行う第１無線通信部と、前記第１の無線通信規格とは異なる第２の無線通信規格にしたがった通信を行う第２無線通信部と、を備え、前記制御部は、
前記第１の無線通信規格にしたがって他の装置と近距離無線通信を行う自動販売機であって、商品の販売禁止を解除するセキュリティコードを受信するまで商品の販売が禁止されている自動販売機を一意に識別するために当該自動販売機に付与されている識別子の入力を契機として、前記第２の無線通信規格にしたがった通信により前記識別子を受信したことを契機として前記セキュリティコードを発行し前記識別子の送信元へ返信するサーバ装置へ宛てて、入力された識別子を前記第２無線通信部により送信し、前記サーバ装置から返信されてくるセキュリティコードを前記第２無線通信部により受信し、受信したセキュリティコードを前記第１無線通信部により前記自動販売機へ送信することを特徴とする無線通信端末、を提供する。【００１１】
また、上記課題を解決するために本発明は、コンピュータに、第１の無線通信規格にしたがって他の装置と近距離無線通信を行う自動販売機であって、商品の販売禁止を解除するセキュリティコードを受信するまで商品の販売が禁止されている自動販売機を一意に識別するために当該自動販売機に付与されている識別子の入力を契機として、前記第１の無線通信規格とは異なる第２の無線通信規格にしたがった通信により前記識別子を受信したことを契機として前記セキュリティコードを発行し前記識別子の送信元へ返信するサーバ装置へ宛てて、入力された識別子を前記第２の無線通信規格にしたがって送信する第１のステップと、前記サーバ装置から返信されてくるセキュリティコードを受信し、受信したセキュリティコードを第１の無線通信規格にしたがって前記自動販売機へ送信する第２のステップと、を実行させることを特徴とするプログラム、を提供する。
【図面の簡単な説明】
【００１２】
【図１】本発明の一実施形態による無線通信システム１の構成例を示すブロック図である。
【図２】無線通信端末１０と近距離無線通信する自動販売機３０の正面図である。
【図３】無線通信端末１０の構成例を示すブロック図である。
【図４】無線通信端末１０の表示部１１０ａに表示される画面Ｇ０１の一例を示す図である。
【図５】無線通信端末１０の表示部１１０ａに表示される検索結果画面Ｇ０２の一例を示す図である。
【図６】無線通信端末１０の表示部１１０ａに表示される決済手段選択画面Ｇ０３の一例を示す図である。
【図７】無線通信端末１０の制御部１００が購入支援プログラム１４４ａにしたがって実行するロック解除処理の流れを示すフローチャートである。
【発明を実施するための形態】
【００１３】
以下、図面を参照しつつ本発明の実施形態を説明する。
図１は、本発明の一実施形態による無線通信システム１の構成例を示すブロック図である。図１に示すように、無線通信システム１は、無線通信端末１０と、無線通信網２０に接続されたサーバ装置４０とを含む。図１では詳細な図示を省略したが、無線通信網２０には有線通信網が含まれ、サーバ装置４０は当該有線通信網に接続されている。
【００１４】
無線通信端末１０は例えばスマートフォンである。無線通信端末１０は無線通信網２０に収容され、所定の無線通信規格（本実施形態ではＷＩ−ＦＩ）にしたがって無線通信を行う。また、無線通信端末１０は、上記無線通信規格とは異なる無線通信規格にしたがって他の装置と近距離無線通信を行う機能を備えている。以下では、後者の無線通信規格を「第１の無線通信規格」と呼び、前者の無線通信規格を「第２の無線通信規格」と呼ぶ。前述したように第２の無線通信規格の具体例はＷＩ−ＦＩである。一方、第１の無線通信規格の具体例としては、Ｂｌｕｅｔｏｏｔｈ（登録商標）またはＩｒＤＡが挙げられる。本実施形態では、第１の無線通信規格としてＢｌｕｅｔｏｏｔｈ（登録商標）が採用されている。
【００１５】
図１における自動販売機３０は、前述した「ガチャガチャ」である。自動販売機３０は、第１の無線通信規格にしたがって無線通信端末１０と近距離無線通信を行う機能を備えている。図１では、自動販売機３０が１つだけ図示されているが、自動販売機３０の数は２以上であってもよい。図２は、自動販売機３０の正面図である。自動販売機３０では、商品代金の投入（本実施形態では、仮想コインの入力）が行われた後にハンドル３２が矢印方向に捻られると、玩具の入ったカプセルＣが取出し口３４から１つ出てくる。取出し口３４の近傍には、自動販売機３０を一意に示す識別子（例えば所定の文字数の英数文字よりなる文字列）に対応するマトリクス型二次元コードが印刷された印刷物３６が貼り付けられている。
【００１６】
自動販売機３０では、商品の販売禁止を解除するセキュリティコードを近距離無線通信により受信するまで商品の販売が禁止されたロック状態となっており、セキュリティコードを未受信の状態でハンドル３２が捻られてもカプセルＣは出てこない。セキュリティコードはサーバ装置４０によってランダムに生成される２５６バイトの１タイムデータである。サーバ装置４０は、自動販売機３０を一意に示す識別子を受信する毎に、その識別子に対応するセキュリティコードを発行し、当該識別子の送信元へ返信する。
【００１７】
サーバ装置４０は、図１に示すように、ユーザＤＢと自動販売機管理ＤＢとを有するコンピュータ装置であり、セキュリティコード発行および仮想コインの発行の他に、仮想コインの発行代金の決済（換言すれば、商品代金の決済）を行う。自動販売機管理ＤＢには、自動販売機３０の識別子に対応付けて、当該自動販売機３０の設置場所を示す位置情報（例えば、設置場所の緯度および経度を示す情報）、セキュリティコードを発行するための情報が格納されている。セキュリティコードを所定の疑似乱数発生アルゴリズムにしたがって生成する場合、セキュリティコードを発行するための情報の具体例としては当該アルゴリズムにおける初期値（所謂疑似乱数のシード）や直近に発行したセキュリティコードが挙げられる。
【００１８】
ユーザＤＢは、無線通信システム１を利用して自動販売機３０による商品の販売を解禁し、商品を購入しようとするユーザを管理するためのデータベースである。ユーザＤＢにはユーザを一意に示す識別子に対応付けて当該ユーザによる商品の購入履歴や商品代金の決済履歴を示す情報が格納されている。ユーザを一意に識別する識別子の具体例としては、無線通信システム１によるサービスの利用契約締結時にユーザに割り振られたユーザＩＤが挙げられる。
【００１９】
本実施形態における商品代金の決済には、ブロックチェーンと呼ばれる分散型台帳技術が利用されている。ブロックチェーンとは、ブロックと呼ばれる順序付けられたレコードの連続的に増加するリストを持つデータベースである。本実施形態では、ブロックチェーンにおける各ブロックが１つの決済に対応し、各ブロックには決済に関する情報と決済の実行された時刻を示すタイムスタンプと、一つ前のブロックへのリンクとが含まれている。
【００２０】
前述したように自動販売機３０の取出し口３４の近傍には、自動販売機３０の一意に示す識別子に対応するマトリクス型二次元コードの印刷された印刷物３６が貼り付けられている。無線通信端末１０のユーザは、無線通信端末１０を用いて上記マトリクス型二次元コードを読み取り、当該コードから得られた識別子をサーバ装置４０へ送信することで、自動販売機３０のロック状態を解除すること（すなわち、商品の販売を解禁すること）ができる。以下、自動販売機３０による商品の販売を解禁する際に中心的な役割を果たす無線通信端末１０について説明する。
【００２１】
図３は、無線通信端末１０の構成例を示すブロック図である。図３に示すように、無線通信端末１０は、制御部１００、ユーザインタフェース部１１０、第１無線通信部１２０、第２無線通信部１３０、記憶部１４０、およびこれら構成要素間のデータ授受を仲介するバス１５０を有する。なお、図３では、ユーザインタフェース部は「ＵＩ部」と略記されている。以下、本明細書においても同様に略記する。
【００２２】
制御部１００は、例えばＣＰＵ（Central Processing Unit）などのコンピュータである。制御部１００は、記憶部１４０（より正確には不揮発性記憶部１４４）に格納されているプログラムを実行し、無線通信端末１０の制御中枢として機能する。
【００２３】
ＵＩ部１１０は、無線通信端末１０をユーザに利用させるためのユーザインタフェースを提供する装置の集合体である。図１に示すように、ＵＩ部１１０は、表示部１１０ａ、操作部１１０ｂ、および撮像部１１０ｃを含む。ＵＩ部１１０は、これら各部の他にユーザの音声の収音および音声データの表す音声の出力を行う音声入出力部を含んでいるが、本発明との関連が薄いため音声入出力部の図示および詳細な説明は省略する。
【００２４】
表示部１１０ａは、例えば液晶ディスプレイとその駆動回路である。表示部１１０ａは、制御部１００による制御の下、無線通信端末１０の利用をユーザに促す各種画面の画像を表示する。撮像部１１０ｃは例えばイメージセンサである。撮像部１１０ｃは、撮像視野内の画像を撮像し、その撮像結果を表す画像データを制御部１００へ出力する。操作部１１０ｂは、表示部１１０ａの表示領域を覆うように設けられた透明なシート状のタッチセンサである。操作部１１０ｂは、表示部１１０ａとともに所謂タッチパネルを形成する。無線通信端末１０のユーザは、操作部１１０ｂに対するタッチ操作或いはフリック操作により各種入力を行うことができる。操作部１１０ｂに対してユーザがタッチ操作或いはフリック操作等を行うと、操作部１１０ｂは、ユーザの操作内容を表すデータを制御部１００へ出力する。これにより、ユーザの行った操作が制御部１００に伝達される。
【００２５】
第１無線通信部１２０は、第１の無線通信規格に準拠した無線通信を行う通信回路である。第１無線通信部１２０は、第１の無線通信規格に準拠した無線通信の相手装置から送信されてくるデータを受信して制御部１００へ引き渡す一方、制御部１００から引き渡されたデータを相手装置へ送信する。第２無線通信部１３０は、無線通信網２０の基地局と第２の無線通信規格に準拠した無線通信を行う。第２無線通信部１３０は、制御部１００から与えられたデータを無線通信網２０へ送出するとともに、無線通信網２０から送られてくるデータを受信し、受信したデータを制御部１００へ引き渡す。
【００２６】
記憶部１４０は、揮発性記憶部１４２と不揮発性記憶部１４４とを含む。揮発性記憶部１４２は、例えばＲＡＭ（Random Access Memory）である。揮発性記憶部１４２は、プログラムを実行する際のワークエリアとして制御部１００によって利用される。不揮発性記憶部１４４は、例えばフラッシュＲＯＭ（Read Only Memory）である。不揮発性記憶部１４４には、各種プログラムと各種データとが記憶されている。不揮発性記憶部１４４に記憶されているプログラムの具体例としては、制御部１００にＯＳ（Operating System）を実現させるカーネルプログラム、ｗｅｂブラウザや電子メールクライアントの各種アプリケーションプログラム、本発明の特徴を顕著に示すロック解除処理を制御部１００に実行させる購入支援プログラム１４４ａが挙げられる。
【００２７】
不揮発性記憶部１４４に記憶されているプログラムのうち、購入支援プログラム１４４ａ以外のプログラムについては一般的なスマートフォンにインストールされているものと特段に変わるところは無い。例えば、制御部１００は、無線通信端末１０の電源（図３では図示略）の投入を契機としてカーネルプログラムを不揮発性記憶部１４４から揮発性記憶部１４２へ読み出し、その実行を開始する。カーネルプログラムにしたがって作動し、ＯＳを実現している状態の制御部１００は、操作部１１０ｂに対する操作により入力された指示に応じて、購入支援プログラム１４４ａや他のアプリケーションプログラムを実行することやＵＩ部１１０等の制御部１００以外の構成要素の作動制御を行うことができる。このように、購入支援プログラム１４４ａ以外のプログラムについては一般的なスマートフォンにインストールされているものと特段に変わるところは無いため詳細な説明は省略し、以下では購入支援プログラム１４４ａを中心に説明する。
【００２８】
操作部１１０ｂに対する操作により購入支援プログラム１４４ａの実行を指示された制御部１００は、購入支援プログラム１４４ａを不揮発性記憶部１４４から揮発性記憶部１４２へ読み出し、その実行を開始する。購入支援プログラム１４４ａにしたがって作動している制御部１００は、図４に示す画面Ｇ０１を表示部１１０ａに表示させる。
【００２９】
画面Ｇ０１における仮想操作子Ｂ０１は、自動販売機３０の設置場所を検索するための仮想操作子である。仮想操作子Ｂ０１に対するタッチ操作が為されると、制御部１００は、無線通信端末１０の現在位置を示す位置情報をサーバ装置４０へ送信する。なお、無線通信端末１０の現在位置についてはＧＰＳ等の既存技術を用いて特定すればよい。
【００３０】
サーバ装置４０は、無線通信端末１０から受信した位置情報の示す位置を中心とする所定範囲（例えば、半径１００メートルの範囲）に設置されている自動販売機３０を、自動販売機管理ＤＢを参照して特定する。そして、サーバ装置４０は、特定した自動販売機３０の設置場所を示す位置情報を無線通信端末１０へ返信する。
【００３１】
サーバ装置４０から返信されてくる位置情報を受信すると、制御部１００は、図５に示す検索結果画面Ｇ０２を表示部１１０ａに表示する。検索結果画面Ｇ０２の画像は、上記所定範囲の地図の画像に、現在位置を示すアイコン（図５では、星印のアイコン）と自動販売機３０に対応するアイコン（図５では黒丸印のアイコン）をプロットして得られる画像である。検索結果画面Ｇ０２を視認したユーザは、検索結果画面Ｇ０２に表示された情報を参考に最寄りの自動販売機３０の設置場所まで赴くことができる。
【００３２】
画面Ｇ０１における仮想操作子Ｂ０２に対するタッチ操作が行われると、制御部１００は表示部１１０ａの表示画像を、図６に示す決済手段選択画面Ｇ０３に遷移させる。決済手段選択画面Ｇ０３は、商品を購入するための仮想コインの決済に用いる決済手段（クレジットカード等）をユーザに選択させるための画面である。操作部１１０ｂに対する操作により決済手段の選択が為されると、制御部１００は、選択された決済手段を示す情報を揮発性記憶部１４２に書き込み、表示部１１０ａの表示画像を画面Ｇ０１に遷移させる。
【００３３】
画面Ｇ０１における領域Ａ０１には、撮像部１１０ｃによる撮像画像が表示される。無線通信端末１０のユーザは、自動販売機３０の識別子に対応するマトリクス型二次元コードの全体が領域Ａ０１に表示されるように、無線通信端末１０を自動販売機３０の取出し口３４の近傍にかざしつつその姿勢を調整し、当該マトリクス型二次元コードの画像を撮像する。制御部１００は、撮像された画像を解析することで自動販売機３０の識別子を取得する。
【００３４】
自動販売機３０の識別子を取得すると、制御部１００は、ロック解除処理を開始する。図７は、ロック解除処理の流れを示すフローチャートである。図７に示すように、制御部１００は、まず、上記の要領で取得した識別子と、決済手段選択画面Ｇ０３にて選択された決済手段を示す情報とを第２無線通信部１３０によりサーバ装置４０へ送信する（ステップＳＡ１００）。
【００３５】
サーバ装置４０は、無線通信端末１０から送信された識別子および決済手段を示す情報を受信すると、自動販売機管理ＤＢの格納内容を参照して当該識別子に対応するセキュリティコードを発行するとともに、商品購入のための仮想コインを発行して上記受信した情報の示す決済手段により商品代金の決済を行う。そして、サーバ装置４０は、発行したセキュリティコードおよび仮想コインを、上記識別子の送信元へ返信する。
【００３６】
制御部１００は、サーバ装置４０から返信されてくるセキュリティコードおよび仮想コインを受信すると、受信したセキュリティコードおよび仮想コインを第１無線通信部１２０により自動販売機３０へ送信する（ステップＳＡ１１０）。
【００３７】
自動販売機３０は、無線通信端末１０から送信されてくるセキュリティコードおよび仮想コインを受信すると、商品の販売を解禁する。これにより、自動販売機３０により販売される商品の購入（本実施形態では、ガチャガチャの実行）が可能となる。自動販売機３０は、無線通信端末１０のユーザによる商品の購入が完了すると、再びロック状態に戻る。
【００３８】
以上説明したように本実施形態によれば、セキュリティコードの発行により、自動販売機による商品の販売を遠隔管理することが可能になる。例えば、所定の期間（例えば一か月）における商品購入代金の総額が予め定められた上限値に達した以降は当該期間が経過するまで新たなセキュリティコードの発行を差し止めることで、ガチャガチャに課金しすぎることを防ぐことができる。
【００３９】
以上本発明の一実施形態について説明したが、この実施形態に以下の変形を加えても勿論よい。
（１）上記実施形態における自動販売機３０は「ガチャガチャ」であったが、清涼飲料水やアルコール飲料、食品、書籍、煙草などに自動販売機であっても勿論よく、また、コンピュータゲームにおける「ガチャ」等の仮想自動販売機であってもよい。つまり、自動販売機３０により販売される商品は玩具等の実体のある物には限定されず、ゲーム内アイテムやゲームキャラクタのデータ等のデータであってもよい。また、上記実施形態では、商品の販売代金の決済に仮想コインを介在させたが、仮想コインを介在させず、従来のガチャガチャと同様に現実の貨幣のみで決済を行ってもよく、この場合、サーバ装置４０にはセキュリティコードのみを返信させるようにすればよい。
【００４０】
（２）上記実施形態における自動販売機３０には、自動販売機３０を一意に示す識別子に対応するマトリクス型二次元コードが印刷された印刷物３６が貼り付けられていたが、当該識別子を表す文字列の印刷された印刷物が貼り付けられていてもよい。識別子を表す文字列の印刷された印刷物を撮像部１１０ｃで撮像し、その撮像画像に文字認識を施すことで上記識別子を取得することができるからである。また、上記印刷物に印刷された文字列を視認したユーザが操作部１１０ｂに対する操作（例えば、仮想キーボードに対する操作）により、当該文字列を構成する文字を１つずつ入力してもよく、この場合、撮像部１１０ｃは省略可能である。
【００４１】
（３）上記実施形態では、無線通信端末１０を含む無線通信システム１について説明したが、無線通信端末１０を単体で製造または販売してもよい。また、上記実施形態における無線通信端末１０はスマートフォンであったが、タブレット端末やノート型パーソナルコンピュータ、或いはウェアラブルコンピュータなどのであってもよい。
【００４２】
要は、制御部と、第１の無線通信規格にしたがって近距離無線通信を行う第１無線通信部と、前記第１の無線通信規格とは異なる第２の無線通信規格にしたがった通信を行う第２無線通信部と、を備え、前記制御部は、前記第１の無線通信規格にしたがって他の装置と近距離無線通信を行う自動販売機であって、商品の販売禁止を解除するセキュリティコードを受信するまで商品の販売が禁止されている自動販売機を一意に識別するために当該自動販売機に付与されている識別子の入力を契機として、前記第２の無線通信規格にしたがった通信により前記識別子を受信したことを契機として前記セキュリティコードを発行し前記識別子の送信元へ返信するサーバ装置へ宛てて、入力された識別子を前記第２無線通信部により送信し、前記サーバ装置から返信されてくるセキュリティコードを前記第２無線通信部により受信し、受信したセキュリティコードを前記第１無線通信部により前記自動販売機へ送信することを特徴とする無線通信端末、を提供すればよい。
【００４３】
（４）上記実施形態では、無線通信端末１０の不揮発性記憶部１４４に本発明の特徴を顕著に示すロック解除処理を制御部１００に実行させる購入支援プログラム１４４ａが予めインストールされていたが、購入支援プログラム１４４ａを単体で製造または販売してもよい。要は、コンピュータに、第１の無線通信規格にしたがって他の装置と近距離無線通信を行う自動販売機であって、商品の販売禁止を解除するセキュリティコードを受信するまで商品の販売が禁止されている自動販売機を一意に識別するために当該自動販売機に付与されている識別子の入力を契機として、前記第１の無線通信規格とは異なる第２の無線通信規格にしたがった通信により前記識別子を受信したことを契機として前記セキュリティコードを発行し前記識別子の送信元へ返信するサーバ装置へ宛てて、入力された識別子を前記第２の無線通信規格にしたがって送信する第１のステップと、前記サーバ装置から返信されてくるセキュリティコードを受信し、受信したセキュリティコードを第１の無線通信規格にしたがって前記自動販売機へ送信する第２のステップと、を実行させることを特徴とするプログラムを提供すればよい。
【００４４】
従来の無線通信端末に上記プログラムをインストールし、当該無線通信端末の制御部（コンピュータ）を当該プログラムにしたがって作動させることで、当該無線通信端末を上記実施形態の無線通信端末１０として機能させることが可能になるからである。なお、上記プログラムの具体的な提供態様としては、フラッシュＲＯＭなどのコンピュータ読み取り可能な記録媒体に書き込んで配布する態様や、インターネットなどの電気通信回線経由のダウンロードにより配布する態様が考えられる。
【符号の説明】
【００４５】
１…無線通信システム、１０…無線通信端末、２０…無線通信網、３０…自動販売機、４０…サーバ装置。１００…制御部、１１０…ＵＩ部，１１０ａ…表示部、１１０ｂ…操作部、１１０ｃ…撮像部、１２０…第１無線通信部、１３０…第２無線通信部、１４０…記憶部、１４２…揮発性記憶部、１４４…不揮発性記憶部、１４４ａ…購入支援プログラム、１５０…バス。
【図１】
2020100207.tif 000003
【図２】
2020100207.tif 000004
【図３】
2020100207.tif 000005
【図４】
2020100207.tif 000006
【図５】
2020100207.tif 000007
【図６】
2020100207.tif 000008
【図７】
2020100207.tif 000009
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
サーバ装置と、
第１の無線通信規格にしたがって他の装置と近距離無線通信する自動販売機と前記第１の無線通信規格に従って通信するとともに、第１の無線通信規格とは異なる第２の無線通信規格にしたがって前記サーバ装置と通信する無線通信端末と、
を含み、
前記自動販売機には、前記自動販売機を一意に示す識別子が予め付与されているとともに、前記自動販売機では、商品の販売禁止を解除するセキュリティコードを受信するまで商品の販売が禁止されており、
前記サーバ装置は、
前記識別子の受信を契機として１タイムデータである前記セキュリティコードを発行して前記識別子の送信元へ返信し、
前記無線通信端末は、
前記識別子の入力を契機として前記サーバ装置へ宛てて入力された識別子を送信し、前記サーバ装置から返信されてくるセキュリティコードを前記自動販売機へ送信し、前記自動販売機に商品の販売禁止を解除するよう指示する
ことを特徴とする無線通信システム。
【請求項２】
前記第１の無線通信規格は、Ｂｌｕｅｔｏｏｔｈ（登録商標）またはＩｒＤＡであることを特徴とする請求項１に記載の無線通信システム。
【請求項３】
前記自動販売機には、前記識別子の印刷された印刷物が貼り付けられており、
前記無線通信端末は、
撮像部を備え、前記撮像部により撮像された画像から読み取った識別子を前記サーバ装置へ送信する
ことを特徴とする請求項１または請求項２に記載の無線通信システム。
【請求項４】
前記印刷物には、前記識別子に対応するマトリクス型二次元コードが印刷されており、前記無線通信端末は、前記マトリクス型二次元コードを解析して前記識別子を読み取ることを特徴とする請求項３に記載の無線通信システム。
【請求項５】
前記無線通信端末は、位置情報を前記サーバ装置に送信し、
前記サーバ装置は、前記位置情報の示す位置を中心とする所定範囲に設置されている前記自動販売機を特定し、特定した前記自動販売機の設置場所を示す位置情報を前記無線通信端末に送信し、
前記無線通信端末は、前記設置場所を示す位置情報に基づき表示を行う
請求項１乃至請求項４のいずれか１項に記載の無線通信システム。
【請求項６】
制御部と、
第１の無線通信規格にしたがって近距離無線通信を行う第１無線通信部と、
前記第１の無線通信規格とは異なる第２の無線通信規格にしたがった通信を行う第２無線通信部と、
を備え、
前記制御部は、
前記第１の無線通信規格にしたがって他の装置と近距離無線通信を行う自動販売機であって、商品の販売禁止を解除するセキュリティコードを受信するまで商品の販売が禁止されている自動販売機、を一意に識別するために当該自動販売機に付与されている識別子の入力を契機として、前記第２の無線通信規格にしたがった通信により前記識別子を受信したことを契機として１タイムデータである前記セキュリティコードを発行し前記識別子の送信元へ返信するサーバ装置へ宛てて、入力された識別子を前記第２無線通信部により送信し、
前記サーバ装置から返信されてくるセキュリティコードを前記第２無線通信部により受信し、受信したセキュリティコードを前記第１無線通信部により前記自動販売機へ送信して、前記自動販売機に商品の販売禁止を解除するよう指示する
ことを特徴とする無線通信端末。
【請求項７】
コンピュータに、
第１の無線通信規格にしたがって他の装置と近距離無線通信を行う自動販売機であって、商品の販売禁止を解除するセキュリティコードを受信するまで商品の販売が禁止されている自動販売機を一意に識別するために当該自動販売機に付与されている識別子の入力を契機として、前記第１の無線通信規格とは異なる第２の無線通信規格にしたがった通信により前記識別子を受信したことを契機として１タイムデータである前記セキュリティコードを発行し前記識別子の送信元へ返信するサーバ装置へ宛てて、入力された識別子を前記第２の無線通信規格にしたがって送信する第１のステップと、
前記サーバ装置から返信されてくるセキュリティコードを受信し、受信したセキュリティコードを第１の無線通信規格にしたがって前記自動販売機へ送信し、前記自動販売機に商品の販売禁止を解除するよう指示する第２のステップと、
を実行させることを特徴とするプログラム。
【手続補正２】
【補正対象書類名】明細書
【補正対象項目名】０００６
【補正方法】変更
【補正の内容】
【０００６】
上記課題を解決するために本発明は、サーバ装置と、第１の無線通信規格にしたがって他の装置と近距離無線通信する自動販売機と前記第１の無線通信規格に従って通信するとともに、第１の無線通信規格とは異なる第２の無線通信規格にしたがって前記サーバ装置と通信する無線通信端末と、を含み、前記自動販売機には、前記自動販売機を一意に示す識別子が予め付与されているとともに、前記自動販売機では、商品の販売禁止を解除するセキュリティコードを受信するまで商品の販売が禁止されており、前記サーバ装置は、前記識別子の受信を契機として１タイムデータである前記セキュリティコードを発行して前記識別子の送信元へ返信し、前記無線通信端末は、前記識別子の入力を契機として前記サーバ装置へ宛てて入力された識別子を送信し、前記サーバ装置から返信されてくるセキュリティコードを前記自動販売機へ送信し、前記自動販売機に商品の販売禁止を解除するよう指示することを特徴とする無線通信システム、を提供する。
【手続補正３】
【補正対象書類名】明細書
【補正対象項目名】００１０
【補正方法】変更
【補正の内容】
【００１０】
また、上記課題を解決するために本発明は、制御部と、第１の無線通信規格にしたがって近距離無線通信を行う第１無線通信部と、前記第１の無線通信規格とは異なる第２の無線通信規格にしたがった通信を行う第２無線通信部と、を備え、前記制御部は、前記第１の無線通信規格にしたがって他の装置と近距離無線通信を行う自動販売機であって、商品の販売禁止を解除するセキュリティコードを受信するまで商品の販売が禁止されている自動販売機、を一意に識別するために当該自動販売機に付与されている識別子の入力を契機として、前記第２の無線通信規格にしたがった通信により前記識別子を受信したことを契機として１タイムデータである前記セキュリティコードを発行し前記識別子の送信元へ返信するサーバ装置へ宛てて、入力された識別子を前記第２無線通信部により送信し、前記サーバ装置から返信されてくるセキュリティコードを前記第２無線通信部により受信し、受信したセキュリティコードを前記第１無線通信部により前記自動販売機へ送信して、前記自動販売機に商品の販売禁止を解除するよう指示することを特徴とする無線通信端末、を提供する。
【手続補正４】
【補正対象書類名】明細書
【補正対象項目名】００１１
【補正方法】変更
【補正の内容】
【００１１】
また、上記課題を解決するために本発明は、コンピュータに、第１の無線通信規格にしたがって他の装置と近距離無線通信を行う自動販売機であって、商品の販売禁止を解除するセキュリティコードを受信するまで商品の販売が禁止されている自動販売機を一意に識別するために当該自動販売機に付与されている識別子の入力を契機として、前記第１の無線通信規格とは異なる第２の無線通信規格にしたがった通信により前記識別子を受信したことを契機として１タイムデータである前記セキュリティコードを発行し前記識別子の送信元へ返信するサーバ装置へ宛てて、入力された識別子を前記第２の無線通信規格にしたがって送信する第１のステップと、前記サーバ装置から返信されてくるセキュリティコードを受信し、受信したセキュリティコードを第１の無線通信規格にしたがって前記自動販売機へ送信し、前記自動販売機に商品の販売禁止を解除するよう指示する第２のステップと、を実行させることを特徴とするプログラム、を提供する。
【国際調査報告】
2020100207.tif 000010
2020100207.tif 000011
2020100207.tif 000012
2020100207.tif 000013